(57)【要約】      （修正有）【課題】本発明は、３Ｄイメージングプローブを使用して収集されたデータを処理及び／又は表示する方法を提供する。【解決手段】方法は、ａ）単一の２Ｄフレームを立体の３Ｄ表現にマッピングする方法、ｂ）コンテキスト参照のための立体の他の部分をそのままにしながら、時間分解能が高い立体の３Ｄ表現の部分を動的に更新する方法、ｃ）高い時間分解能で取得された立体データの組を比較的低い時間分解能で取得された立体データの組に位置合わせして、データの組間の相対的な変位を推定する方法、及びｄ）立体内の構造を特定し、この構造を含む以降の立体の構造に視覚的キューを適用する方法を含む。【選択図】図７Ａ
2019048046.tif 000002
【特許請求の範囲】
【請求項１】
立体の立体表現のイメージングデータの組及び単一の２Ｄイメージングフレームから前記立体の合成視覚表示を生成する方法において、
ａ）前記立体から一組のイメージングデータを受け取るステップと、
ｂ）前記イメージングデータの組から単一の２Ｄイメージングフレームを選択するステップと、
ｃ）前記イメージングデータの組を処理して、前記単一の２Ｄイメージングフレームの選択された側にある全ての画像データが前記立体表現から除外されるように変更された立体表現を生成するステップと、
ｄ）前記２Ｄイメージングフレームを前記変更された立体表現上の適切な箇所にマッピングするステップとを有する方法。
【請求項２】
前記選択された２Ｄイメージングフレームは、選択された色相で表示される請求項１記載の方法。
【請求項３】
前記変更された立体表現は、選択された色相で表示される請求項１記載の方法。
【請求項４】
前記選択された２Ｄイメージングフレームは、選択された透明度で表示される請求項１記載の方法。
【請求項５】
前記変更された立体表現は、選択された透明度で表示される請求項１記載の方法。
【請求項６】
前記選択された２Ｄイメージングフレームは、オペレータによって定義される請求項１記載の方法。
【請求項７】
前記選択された２Ｄイメージングフレームは、前記イメージングシステムによって定義される請求項１記載の方法。
【請求項８】
前記イメージングは、超音波によって行われる請求項１乃至７いずれか１項記載の方法。
【請求項９】
前記イメージングは、光干渉断層法によって行われる請求項１乃至７いずれか１項記載の方法。
【請求項１０】
前記イメージングデータは、ゲーティング法を用いて取得される請求項１乃至９いずれか１項記載の方法。
【請求項１１】
前記変更された立体表現は、円錐立体表現である請求項１乃至１０いずれか１項記載の方法。
【請求項１２】
複数の立体画像データの組から合成視覚表示を生成する方法において、
ａ）機械的な走査を行うイメージングデバイスを用いて第１の期間に亘って取得された第１の立体の第１の立体画像データの組を受信し、前記第１の立体画像データを処理して前記第１の立体の表現を再構築するステップと、
ｂ）前記第１の立体内で関心領域を定義するステップと、
ｃ）前記第１の期間より短い第２の期間に亘って取得された前記関心領域の更なる画像データの組を受信するステップと、
ｄ）前記関心領域の更なる画像データの組を前記第１の立体画像データの組に結合し、結合画像データの組を生成し、前記結合画像データの組を処理して前記第１の立体の結合表現を再構築し、前記結合表現を表示するステップを有し、前記第１の立体の関心領域部分の表現は、前記第１の立体の他の部分に比べて、より高い頻度で更新され、
ｅ）更に、前記ステップｂ）乃至ステップｄ）を０回以上繰り返すステップを有する方法。
【請求項１３】
前記関心領域の表現が前記第１の立体の他の部分から視覚的に区別されるように前記結合表現に視覚的キューを適用するステップを更に有する請求項１２記載の方法。
【請求項１４】
前記視覚的キューは、前記関心領域の表現及び前記第１の立体の他の部分の少なくとも１つに適用される色相である請求項１３記載の方法。
【請求項１５】
前記視覚的キューは、前記関心領域の表現及び前記第１の立体の他の部分の少なくとも１つに適用される透明度の値である請求項１３記載の方法。
【請求項１６】
前記視覚的キューは、前記第１の立体の他の部分の表現に適用され、前記第１の立体画像データの組の取得から経過した時間を示す時間依存キューである請求項１３記載の方法。
【請求項１７】
前記ステップｂ）乃至ステップｄ）を繰り返す間、前記ステップｂ）で定義された関心領域は、不変のままである請求項１２又は１３記載の方法。
【請求項１８】
前記ステップｂ）で定義した関心領域は、前記ステップｂ）乃至ステップｄ）を繰り返す間、オペレータが定義可能な基準に基づいて変化できる請求項１２又は１３記載の方法。
【請求項１９】
前記ステップｂ）で定義した関心領域は、前記ステップｂ）乃至ステップｄ）を繰り返す間、システムが定義可能な基準に基づいて変化できる請求項１２又は１３記載の方法。
【請求項２０】
前記ステップｂ）で定義した関心領域は、イメージングデータの単一の２Ｄフレームである請求項１２、１３、１７、１８又は１９記載の方法。
【請求項２１】
前記関心領域の表現と前記第１の立体の表現の間の空間的整列の精度を検査するステップを更に有する請求項１２乃至２０いずれか１項記載の方法。
【請求項２２】
前記空間的整列が許容できる整列のレベルを下回ったとき、前記ステップａ）乃至ステップｅ）を０回以上繰り返す請求項２１記載の方法。
【請求項２３】
前記第１の立体画像データの組は、ゲーティング法を用いて取得される請求項１２乃至２２いずれか１項記載の方法。
【請求項２４】
前記イメージングは、超音波によって行われる請求項１２乃至２３いずれか１項記載の方法。
【請求項２５】
前記イメージングは、光干渉断層法によって行われる請求項１２乃至２３いずれか１項記載の方法。
【請求項２６】
前記取得は、半径ｒ、角度「シータ」（θ）及び角度「ファイ」（φ）を用いて定義される座標系によって特徴付けられる請求項１２乃至２５いずれか１項記載の方法。
【請求項２７】
前記取得は、半径ｒ、角度「シータ」（θ）及び位置ｄを用いて定義される座標系によって特徴付けられる請求項１２乃至２５いずれか１項記載の方法。
【請求項２８】
立体の複数の画像の取得の間にイメージングデバイスの位置及び／又は向きの変化を算出する方法において、
ａ）イメージングデバイスによって第１の期間に亘って取得された第１の立体からのイメージングデータの第１の組を受信するステップと、
ｂ）前記第１の立体からイメージングデータの第１の組を処理して、表示に適する前記第１の立体の表現を再構築するステップと、
ｃ）前記イメージングデバイスによって前記第１の期間より短い更なる期間に亘って取得された更なる立体からのイメージングデータの更なる組を受信するステップと、
ｄ）前記イメージングデータの更なる組を処理して、前記更なる立体の表現を再構築するステップと、
ｅ）前記第１の立体の表現及び前記更なる立体の表現を処理し、前記第１の立体の表現を前記更なる立体の表現に位置合わせし、前記位置合わせされた表現の整合の度合いを判定するステップと、
ｆ）許容可能な整合の度合いが達成された場合、前記イメージングデータの第１の組の取得の間のイメージングデバイスの位置及び／又は向きに対する前記イメージングデータの更なる組の取得の間のイメージングデバイスの位置及び／又は向きを算出し、前記ステップｃ）乃至ステップｅ）を０回以上繰り返すステップと、
ｇ）位置合わせが達成されなかった場合、前記ステップａ）乃至ステップｅ）を０回以上繰り返すステップとを有する方法。
【請求項２９】
前記イメージングデータの更なる組は、前記イメージングデータの第１の組を取得する際に使用した空間分解能より低い空間分解能を使用して取得される請求項２８記載の方法。
【請求項３０】
前記イメージングデータの更なる組は、前記イメージングデータの第１の組を取得する際に使用した視野より狭い視野を使用して取得される請求項２８記載の方法。
【請求項３１】
前記ステップｅ）は、前記イメージングデバイスの予想される可能な位置及び／又は向きを前記位置合わせの処理に組み込む請求項２８乃至３０いずれか１項記載の方法。
【請求項３２】
前記ステップｅ）は、前記イメージングデバイスの予想される軌跡を前記位置合わせの処理に組み込む請求項２８乃至３０いずれか１項記載の方法。
【請求項３３】
前記ステップｆ）は、前記イメージングデータの更なる組の取得の間の前記イメージングデバイスの位置及び／又は向きを示すように前記第１の立体の再構築された表現を更新するステップを更に含む請求項２８乃至３２いずれか１項記載の方法。
【請求項３４】
前記イメージングデータの第１の組は、ゲーティング法を用いて取得される請求項２８乃至３３いずれか１項記載の方法。
【請求項３５】
前記イメージングデータの更なる組は、ゲーティング法を用いて取得される請求項２８乃至３３いずれか１項記載の方法。
【請求項３６】
前記第１の立体及び更なる立体の画像の組は、超音波を用いて取得される請求項２８乃至３５いずれか１項記載の方法。
【請求項３７】
前記第１の立体及び更なる立体の画像の組は、光干渉断層法を用いて取得される請求項２８乃至３５いずれか１項記載の方法。
【請求項３８】
前記取得は、半径ｒ、角度「シータ」（θ）及び角度「ファイ」（φ）を用いて定義される座標系によって特徴付けられる請求項２８乃至３７いずれか１項記載の方法。
【請求項３９】
前記取得は、半径ｒ、角度「シータ」（θ）及び位置ｄを用いて定義される座標系によって特徴付けられる請求項２８乃至３７いずれか１項記載の方法。
【請求項４０】
立体の複数の走査の間に前記立体内の領域を特定及び強調する方法において、
ａ）第１の立体の画像の組を取得し、前記画像の組から前記第１の立体の３Ｄ表現を生成するステップと、
ｂ）前記第１の立体の３Ｄ表現内の関心領域を特定するステップと、
ｃ）前記関心領域を一組のパラメータによって特徴付け、前記特徴付けられた領域の一組のパラメータを保存するステップと、
ｄ）前記特徴付けられた関心領域に視覚的キューを適用するステップと、
ｅ）更なる立体の更なる画像の組を取得し、前記更なる画像の組から前記更なる立体の３Ｄ表現を生成するステップと、
ｆ）前記特徴付けられた関心領域のパラメータの保存された組を用いて前記更なる画像の組を検索し、前記更なる立体内で前記関心領域の存在を特定するステップと、
ｇ）前記更なる立体内で前記関心領域が特定された場合には、前記ステップｃ）で保存したパラメータの組を任意に更新し、前記ステップｄ）乃至ステップｆ）を０回以上繰り返すステップと、
ｈ）前記更なる立体内で前記関心領域が特定されない場合には、前記ステップａ）乃至ステップｇ）を０回以上繰り返すステップとを有する方法。
【請求項４１】
前記視覚的キューは、前記関心領域の表現及び前記第１の立体の他の部分の少なくとも１つに適用される色相である請求項４０記載の方法。
【請求項４２】
前記視覚的キューは、前記関心領域の表現及び前記第１の立体の他の部分の少なくとも１つに適用される透明度の値である請求項４０記載の方法。
【請求項４３】
前記関心領域は、センタリングビューとして設定される請求項４０記載の方法。
【請求項４４】
前記関心領域を特徴付けるステップは、幾何学的中心、質量中心、向き（主要素軸）、重み付けされた向き（重み付けされた主要素軸）、体積（ボクセル数）及び主軸に沿って特定される寸法の少なくとも１つを処理することを含む請求項４０記載の方法。
【請求項４５】
前記関心領域は、オペレータによって手動で選択される請求項４０記載の方法。
【請求項４６】
前記関心領域は、システムによって自動的に選択される請求項４０記載の方法。
【請求項４７】
前記関心領域は、システム補助選択を用いて選択される請求項４０記載の方法。
【請求項４８】
前記画像の組及び更なる画像の組の少なくとも１つは、ゲーティング法を用いて取得される請求項４０乃至４７いずれか１項記載の方法。
【請求項４９】
前記第１の立体及び更なる立体の画像の組は、超音波を用いて取得される請求項４０乃至４８いずれか１項記載の方法。
【請求項５０】
前記第１の立体及び更なる立体の画像の組は、光干渉断層法を用いて取得される請求項４０乃至４８いずれか１項記載の方法。
【発明の詳細な説明】
【技術分野】
【０００１】
本発明は、包括的には、超音波及び光干渉断層法による最小侵襲イメージングを含む哺乳類の組織及び構造のイメージングのためのイメージングプローブの分野に関する。詳しくは、本発明は、３Ｄイメージングプローブを用いて収集されたデータを処理及び／又は表示する（アルゴリズムとして表される）方法に関する。
【背景技術】
【０００２】
人体のイメージングは、１）組織構造及び解剖学的組織の評価、２）人体の局所的な領域におけるインターベンションの計画及び／又は誘導、並びに３）局所的な領域の構造、構成又は他の特性を変更するインターベンションの結果の評価の全てを含む複数の目的のために行われる。超音波及び光イメージング技術は、血管内及び心臓内処置を含む様々な最小侵襲アプリケーションにとって非常に有用である。例えば、最小侵襲超音波の２つの特に重要な具体例は、血管をイメージングするための血管内超音波（intravascular ultrasound：ＩＶＵＳ）と、心室をイメージングするための心臓内心エコー検査法（intracardiac echocardiographyＩＣＥ）である。ＩＣＥとＩＶＵＳは、侵襲が最小であり、１つ以上の超音波トランスデューサを血管又は心室内に配置して、これらの構造の高品質画像を撮像する。
【０００３】
医療の分野で使用される光ファイバ技術に基づく光学イメージング法は、光干渉断層法、血管顕微法、近赤外分光法、ラマン分光法と蛍光分光法を含む。
【０００４】
イメージングプローブは、機械的走査メカニズムを用いて構成することができ、イメージを生成するために用いられるエネルギビームの方向は、イメージングエネルギの出射及び／又は感知を担う１つ以上の構成要素の機械的動きによって決定される。イメージングプローブは、様々な光学イメージングデバイス、例えば血管内視鏡、内視鏡及び喉頭鏡で使用されるフェイズドアレイ超音波イメージングプローブ及び光ファイバーバンドル又は電荷結合素子等のイメージング要素のアレイを用いて構築することもできる。
【０００５】
３Ｄ走査機構の具体例は、米国特許第８，２１４，０１０号（Ｃｏｕｒｔｎｅｙ他、「Scanning mechanisms for imaging probe」）に開示されており、この文献は全体が引用によって本願に援用される。
【０００６】
３Ｄ最小侵襲イメージングが適用される領域は、器質的心疾患の処置及び電気生理学的処置のための画像誘導を含む。例えば、デバイス（例えば、卵円孔開存閉鎖デバイス、弁修復又は交換デバイス、左心耳閉鎖デバイス）の移植、又は治療用カテーテル（例えば、アブレーション又は寒冷療法カテーテル）の配置等、治療的な操作を行うために心室内の特定の位置にカテーテルを配置することが必要となることも多くある。また、例えば、心臓の心房中隔を横切る際等の処置の中間的ステップを誘導する必要があることもある。最小侵襲イメージングを使用することによって、これらのステップを補助することができる。このような目的のための技術の１つとして、３Ｄ心臓内エコー（3D intracardiac echo：３Ｄ  ＩＣＥ）がある。
従来技術の概要
Ｓｕｏｒｓａ他（米国特許第６，３１５，７３２号）は、ケーブルシステムによってカテーテルの長軸以外の軸を巡って回転でき、３Ｄ画像を収集できる超音波トランスデューサを有する血管内送達のためのカテーテルを開示している。
【０００７】
Ｍａｒｏｎｅｙ他（米国特許第５，３７３，８４９号）、及びＧａｒｄｉｎｅｅｒ（米国特許第５，３７３，８４５号）も３Ｄ超音波イメージングカテーテルを開示している。
【０００８】
Ｈｏｓｓａｃｋ他（ＷＯ／２００６／１２１８５１）は、容量性微細加工超音波トランスデューサ（capacitive micromachined ultrasound transducer：ＣＭＵＴ）及び反射表面を用いる前方視超音波トランスデューサを開示している。
【０００９】
Ｃｏｕｒｔｎｅｙ他（米国特許第８，２１４，０１０号）は、機械的な走査を行う単一要素イメージングデバイスを用いた３Ｄ走査機構を開示しており、これを用いて、超音波及び／又は光学イメージング法によって３Ｄイメージングデータの組を生成することができる。ここに開示されている機械的デバイスは、典型的な２Ｄアレイイメージングデバイスが通常有する視野より大きな視野をイメージングできるという利点がある。これは、特に超音波イメージングの場合に成立する。ここに開示されているデバイスによって収集されるイメージングデータの組は、球面座標及び／又はデカルト座標で記述することができる。Ｃｏｕｒｔｎｅｙ他の米国特許第８，２１４，０１０号に開示されている走査機構は、球面座標でデータを収集し、立体的イメージングデータの組は、（「ｒ」，「シータ」（θ），「ファイ」（φ））の関数で記述でき、ここで、「ｒ」は半径であり、「シータ」（θ）は回転軸を巡る回転角度であり、「ファイ」（φ）は傾きの角度である。米国特許第８，２１４，０１０号の幾つかの実施形態では、イメージングされる立体は、以下のように走査される。
【００１０】
１）イメージングされる領域における超音波又は光の飛行時間に基づいて半径「ｒ」を算出する。幾つかの実施形態においては、「ｒ」は、球面座標系のうち最も高い頻度で走査又はイメージングされる次元である。
【００１１】
２）角度「シータ」（θ）は、イメージングアセンブリの回転軸を巡るイメージングアセンブリの回転角度に基づく。多くの実施形態において、角度「シータ」（θ）は、イメージングアセンブリに機械的に連結された回転シャフトに機械的に連結された回転駆動機構の回転運動に起因する角変位を表す。幾つかの実施形態において、角度「シータ」（θ）は、球面座標系において、２番目に高い頻度で走査される次元である。他の実施形態においては、角度「シータ」（θ）は、球面座標系において、最も低い頻度で走査される次元である。
【００１２】
３）角度「ファイ」（φ）は、米国特許第８，２１４，０１０号では、「イメージング角度」とも呼ばれる。幾つかの実施形態では、角度「ファイ」（φ）は、球面座標系において、最も低い頻度で走査される次元である。他の実施形態においては、角度「ファイ」（φ）は、球面座標系において、２番目に高い頻度で走査される次元である。
【００１３】
最小侵襲イメージングのコンテキストでは、米国特許第８，２１４，０１０号に開示されている走査機構の幾つかの実施形態の利点は、潜在的に視野が広いことを含み、ここで、半径「ｒ」は、数百ミクロンから１０センチメートル以上の範囲に亘り、角度「シータ」（θ）は、０から３６０度（通常、繰り返しパターン）に亘り、「ファイ」（φ）は、幅広い角度の範囲に亘り、多くの前方視の実施形態では、０から９０度以上に亘ることができる。他の利点は、３Ｄイメージングを実行する能力を含む。他の更なる利点は、鼓動する心臓の領域等の動的構造の繰返し運動を捕捉するＥＣＧゲーティングを含むゲーティング技術を用いて４Ｄイメージングを実行する能力を含む。
【００１４】
例えば、心臓の鼓動等の動きを伴う構造に関しては、幾何学的精度及び／又は画質は、このような構造の動きの速度に対する構造のイメージングの速度に依存する。例えば、２Ｄイメージングにおいて、画像のリフレッシュレートが高い程、２Ｄ画像内の測定の幾何学的精度が向上する。同様に、３Ｄイメージングでは、イメージングされる構造の領域の再構築は、例えば、ＥＣＧゲーティング（ECG gating）等の適切な動き補償アルゴリズムを使用しない限り、このような領域をより短いタイムスパンでイメージングした方が動きによる影響が小さくなる。
【発明の概要】
【課題を解決するための手段】
【００１５】
本発明は、超音波及び／又は光学的イメージング技術を含む最小侵襲イメージングプローブを用いて取得される哺乳類の組織及び構造の画像を３Ｄ再構築する表示手段を提供する。具体的には、本発明は、２つの角度及び線形次元に亘る走査、サンプリング及び／又は他のデータ収集によってデータを収集する走査機構を用いて収集された画像の表示方法に関する。
【００１６】
米国特許第８，２１４，０１０号に開示されている走査機構の幾つかの実施形態では、走査速度が半径方向で最速であり、第１の角方向「シータ」（θ）に沿う走査速度は、これより遅く、第２の角方向「ファイ」（φ）に沿った走査速度が更に遅いことを踏まえ、本発明は、走査の頻度が高い（したがって、動きアーチファクトが生じにくい）２つの次元、多くの場合、半径「ｒ」及び角度「シータ」（θ）で収集された３Ｄイメージングデータのサブセットを表現する画像表示方法を提供する。
【００１７】
また、本発明は、３Ｄイメージングデータの全体又は一部の３Ｄ再構築と組み合わせて、最も高い頻度で走査される次元で収集された３Ｄイメージングデータのサブセットを表示する画像表示方法を提供する。
【００１８】
本発明は、３Ｄ再構築に重畳されるテクスチャマップの領域を特定する方法を開示し、テクスチャマップは、より透明に生成でき、２Ｄ画像テクスチャがマッピングされる表面の背後になる３Ｄ再構築の内部の構造の視覚化を容易にすることができる。
【００１９】
更に、本発明は、オペレータが３Ｄ再構築の角度「ファイ」（φ）のサブセットの範囲を掃引する方法を提供する。
【００２０】
本発明は、３Ｄイメージングデータを処理して、イメージング方式に対して比較的透明である３Ｄイメージングデータの領域を視覚化する画像表示方法、例えば、超音波を用いて、血液が心筋及び他の心臓組織より比較的透明である心室又は脈管を視覚化する画像表示方法を提供する。このような方法は、例えば、他の周囲の構造の形態及び／又は構造に比べて、心室及び／又は血管の形態及び／又は構造にオペレータがより高い関心を有している状況等で有用である。
【００２１】
また、本発明は、３Ｄ立体の３Ｄ再構築を表示し及び３Ｄ立体のサブセットの再構築をより高い頻度で更新して表示する方法を開示する。例えば、これによって、より大きい３Ｄ立体からのコンテキスト情報の組合せを提供できるとともに、より高い頻度で更新される３Ｄ立体のサブセット内で時間分解能が高いイメージング情報を提供できる。
【００２２】
更に、本発明は、３Ｄ立体のサブセットがイメージングされたある期間の後、コンテキスト３Ｄ立体が、より高い頻度で走査される３Ｄ立体のサブセットの周囲の領域を十分適切に表現しなくなったことを判定し、コンテキスト３Ｄ立体をいつ更新するかをパラメータ的に決定する方法を開示する。このような判定は、周囲の構造の変化の結果、及び／又は周囲の構造の動き及び／又は周囲の構造内のイメージングプローブの変位又は他の理由に基づいて行ってもよい。
【００２３】
また、本発明は、時間的により前に取得した３Ｄ立体の部分を、より最近に取得した３Ｄ立体の部分とは異なることが視覚的に認識できるフォーマットで表示する方法を開示し、これによって、オペレータは、３Ｄ立体のどの部分が最も近い時点で更新されているか、したがって、画像表示の時点で最も代表的な領域を認識しながら３Ｄ立体内の解剖学的目印及び他の構造を特定することができる。
【００２４】
本発明は、イメージングシステム及びイメージングプローブの３Ｄイメージング能力を用いて３Ｄ立体内のイメージングプローブの部分の位置及び／又は向きを特定する手法を開示する。
【００２５】
本発明は、位置特定アルゴリズムと組み合わせてイメージングシステム及びイメージングプローブのイメージング能力を用いて、以前にイメージングされた３Ｄ立体内のイメージングプローブの部分の位置及び／又は向きを更新する手法を開示する。
【００２６】
本発明は、位置特定アルゴリズムと組み合わせてイメージングシステム及びイメージングプローブのイメージング能力を用いて、先に取得した３Ｄ立体内でのイメージングプローブの部分の位置及び／又は向きが、いつ、許容できる信頼度で判定できなくなるかを判定する。
【００２７】
一実施形態として提供する方法は、立体の立体表現のイメージングデータの組及び単一の２Ｄイメージングフレームから立体の合成視覚表示を生成する方法において、
ａ）立体から一組のイメージングデータを受け取るステップと、
ｂ）イメージングデータの組から単一の２Ｄイメージングフレームを選択するステップと、
ｃ）イメージングデータの組を処理して、単一の２Ｄイメージングフレームの選択された側にある全ての画像データが立体表現から除外されるように変更された立体表現を生成するステップと、
ｄ）２Ｄイメージングフレームを変更された立体表現上の適切な箇所にマッピングするステップとを有する。
【００２８】
更に提供される方法は、複数の立体画像データの組から合成視覚表示を生成する方法において、
ａ）機械的な走査を行うイメージングデバイスを用いて第１の期間に亘って取得された第１の立体の第１の立体画像データの組を受信し、第１の立体画像データを処理して第１の立体の表現を再構築するステップと、
ｂ）第１の立体内で関心領域を定義するステップと、
ｃ）第１の期間より短い第２の期間に亘って取得された関心領域の更なる画像データの組を受信するステップと、
ｄ）関心領域の更なる画像データの組を第１の立体画像データの組に結合し、結合画像データの組を生成し、結合画像データの組を処理して第１の立体の結合表現を再構築し、結合表現を表示するステップを有し、第１の立体の関心領域部分の表現は、第１の立体の他の部分に比べて、より高い頻度で更新され、
ｅ）更に、ステップｂ）乃至ステップｄ）を０回以上繰り返すステップを有する。
【００２９】
更に提供される方法は、立体の複数の画像の取得の間にイメージングデバイスの位置及び／又は向きの変化を算出する方法において、
ａ）イメージングデバイスによって第１の期間に亘って取得された第１の立体からのイメージングデータの第１の組を受信するステップと、
ｂ）第１の立体からイメージングデータの第１の組を処理して、表示に適する第１の立体の表現を再構築するステップと、
ｃ）イメージングデバイスによって第１の期間より短い更なる期間に亘って取得された更なる立体からのイメージングデータの更なる組を受信するステップと、
ｄ）イメージングデータの更なる組を処理して、更なる立体の表現を再構築するステップと、
ｅ）第１の立体の表現及び更なる立体の表現を処理し、第１の立体の表現を更なる立体の表現に位置合わせし、位置合わせされた表現の整合の度合いを判定するステップと、
ｆ）許容可能な整合の度合いが達成された場合、イメージングデータの第１の組の取得の間のイメージングデバイスの位置及び／又は向きに対するイメージングデータの更なる組の取得の間のイメージングデバイスの位置及び／又は向きを算出し、ステップｃ）乃至ステップｅ）を０回以上繰り返すステップと、
ｇ）位置合わせが達成されなかった場合、ステップａ）乃至ステップｅ）を０回以上繰り返すステップとを有する。
【００３０】
更に提供される方法は、立体の複数の走査の間に立体内の領域を特定及び強調する方法において、
ａ）第１の立体の画像の組を取得し、画像の組から第１の立体の３Ｄ表現を生成するステップと、
ｂ）第１の立体の３Ｄ表現内の関心領域を特定するステップと、
ｃ）関心領域を一組のパラメータによって特徴付け、特徴付けられた領域の一組のパラメータを保存するステップと、
ｄ）特徴付けられた関心領域に視覚的キューを適用するステップと、
ｅ）更なる立体の更なる画像の組を取得し、更なる画像の組から更なる立体の３Ｄ表現を生成するステップと、
ｆ）特徴付けられた関心領域のパラメータの保存された組を用いて更なる画像の組を検索し、更なる立体内で関心領域の存在を特定するステップと、
ｇ）更なる立体内で関心領域が特定された場合には、ステップｃ）で保存したパラメータの組を任意に更新し、ステップｄ）乃至ステップｆ）を０回以上繰り返すステップと、  ｈ）更なる立体内で関心領域が特定されない場合には、ステップａ）乃至ステップｇ）を０回以上繰り返すステップとを有する。
【００３１】
本発明の機能及び有利な側面は、以下の詳細な説明及び図面を参照することによって更に明らかとなる。
【００３２】
以下、例示のみを目的として、以下の図面を参照して、本発明の実施形態を説明する。
【図面の簡単な説明】
【００３３】
【図１】本発明の実施形態に関連する例示的な球面座標系を示す図である。
【図２】本発明の球面座標系を使用して記述される画像フレームと連続するイメージングデータの関係を表す図である。
【図３】本発明の実施形態に関連する例示的な円筒座標系の例を示す図である
【図４】本発明の可能な構成の３本の取得軸の間の時間的関係を示す図である。
【図５】本発明の他の可能な構成の３本の取得軸の間の時間的関係を示す図である。
【図６Ａ】角度「シータ」（θ）の単一の回転からのイメージングデータの処理の例を示す図である。
【図６Ｂ】円錐状の表面へのイメージングデータのマッピングを示す図である。
【図７Ａ】本発明に基づく立体データ及び円錐表面の視覚化の実施形態を示す図である。
【図７Ｂ】前方視が可能な本発明を組み込むことができるイメージングシステムの例を示す図である。
【図７Ｃ】前方視が可能な本発明を組み込むことができるイメージングシステムの例を示す図である。
【図７Ｄ】本発明に基づく立体データ及び円錐表面の視覚化の実施形態を示す図である。
【図８Ａ】円筒の長軸に沿って円筒立体空間を離散的動作でイメージングすることができるイメージングシステムの例を示す図である。
【図８Ｂ】は、円筒の長軸に沿って円筒立体空間を連続的動作でイメージングすることができるイメージングシステムの例を示す図である。
【図８Ｃ】本発明を組み込むことができるイメージングシステムの一実施形態の走査の間に取得される立体画像範囲を表す図である。
【図９】領域をマスキングし、円錐表面を介する透明な視覚化を実現するイメージングデータの例を示す図である。
【図１０Ａ】立体のサブセットが立体の他の部分より高い頻度で更新される立体画像データの視覚化の例を示す図である。
【図１０Ｂ】立体のサブセットが立体の他の部分より高い頻度で更新される立体画像データの視覚化の例を示す図である。
【図１０Ｃ】立体のサブセットが立体の他の部分より高い頻度で更新される立体画像データの視覚化の例を示す図である。
【図１０Ｄ】立体のサブセットが立体の他の部分より高い頻度で更新される立体画像データの視覚化の例を示す図である。
【図１０Ｅ】立体のサブセットが立体の他の部分より高い頻度で更新される立体画像データの視覚化の例を示す図である。
【図１０Ｆ】立体のサブセットが立体の他の部分より高い頻度で更新される立体画像データの視覚化の例を示す図である。
【図１１】高い頻度で取得される画像データを静的３Ｄ立体表現に組み合わせる視覚化表現を生成するための主要な動作を強調して示すフローチャートである。
【図１２Ａ】高密度静的立体及び低密度動的立体を用いた立体位置合わせの実施形態を示す図である。
【図１２Ｂ】高密度静的立体及び低密度動的立体を用いた立体位置合わせの実施形態を示す図である。
【図１２Ｃ】高密度静的立体及び低密度動的立体を用いた立体位置合わせの実施形態を示す図である。
【図１３】低密度−高密度立体位置合わせの実施形態で行われる動作を強調して示すフローチャートである。
【図１４】可能性が高い位置及び向き情報を推定するために使用できる例示的な方法のフローチャートである。
【図１５】４Ｄ再構築における後のフレームにおいてオペレータが特定した立体サブ領域を追跡する例示的な実施形態において採用される主要な動作を強調して示すフローチャートである。
【図１６】超音波イメージング、光学イメージング又はその両方のためのイメージングシステムの概略図である。
【図１７】ここに開示する計画及び誘導方法及びシステムを実現するコンピュータ制御システムの典型的な非限定的な具体例を示す図である。
【発明を実施するための形態】
【００３４】
以下、本発明の実施形態及び側面について、詳細を参照して説明する。以下の説明及び図面は、本発明を例示するものであり、限定するものではない。本明細書の様々な実施形態を明瞭に説明するために、多くの特定の詳細事項について記述する。但し、幾つかの例では、本発明の実施形態を明瞭にするために、周知の又は従来から知られている詳細については記述しない。
【００３５】
ここで使用する「備える」、「有する」、「含む」等の表現は、排他的ではなく、包括的で非限定的な表現として解釈される。具体的には、本明細書及び特許請求の範囲において用いられる「備える」、「有する」、「含む」等及びこれらの活用形は、特定の特徴、ステップ又は要素が含まれることを意味する。これらの表現は、他の特徴、ステップ又は要素の存在を除外するようには解釈されない。
【００３６】
ここで用いる「例示的な」という用語は、「具体例、例証又は例示に使用される」ことを意味し、他の構成に比べて好ましい又は有利であるということは意味しない。
【００３７】
ここで用いる「約」、「略々」等の用語は、特性、パラメータ及び寸法等に関連して用いられる場合、数値の上限及び下限における僅かな差異が許容されることを意味する。１つの非限定的な例として、「約」及び「略々」の用語は、±１０％以内を意味する。
【００３８】
ここで使用する「画像の相互位置合わせ（co-registration）」という句は、一組のイメージングパラメータによって取得されるイメージングデータのサブセットを、他の組のイメージングパラメータ（すなわち様式、時間、空間的位置、イメージング条件等）を用いて取得されるイメージングデータのサブセットと共に特定する処理を指し、イメージングパラメータの２つの組から特定されるイメージングデータは、同じ物体（すなわち組織、デバイス又は他の関心構造）からイメージングエネルギ（例えば、光子又は超音波）の１つ以上の形状を検出することによって取得される。そして、第１のサブセット内の相互位置合わせされた各点は、第２のサブセット内の対応する点にマッピングでき、これによって、２つの点は、イメージングされた物体（又は組織）の同様な焦点領域から取得したとみなされる。イメージングパラメータの複数の組の間で画像又は画像の一部の相互位置合わせが正確に行われると、イメージングされた物体の関心特徴を、一組以上のイメージングパラメータによって評価する複数の機会が提供される。
【００３９】
ここに説明する様々な実施形態は、超音波イメージング、光学イメージング又はこれらの両方のイメージングシステムに関する。まず、図１６に示すイメージングシステム１００は、イメージングプローブ１０７を備え、イメージングプローブ１０７は、患者インタフェースモジュール１０２を介して、画像処理及び表示システム１１１に接続されている。画像処理及び表示システム１１１は、例えば、超音波、光干渉断層法、血管顕微法、赤外線イメージング、近赤外線イメージング、ラマン分光法ベースのイメージング又は蛍光イメージング等の１つ以上のイメージング様式をサポートするハードウェアを備える。
【００４０】
クリッピングされた立体合成表示へのテクスチャマッピング
図１は、イメージングアセンブリ１を用いて立体から取得される一組のイメージングデータを記述するために用いることができる球面座標系を表している。例えば、「ｒ」に沿って収集された一連の心臓内エコー（intracardiac echo：ＩＣＥ）データサンプルは、それぞれが超音波データの固有のサンプリングに対応するＮ個の固有の画素（ピクセル）の１次元画像として表現できる。「ｒ」の空間長は、イメージトランスデューサのイメージング深さに対応し、したがって、均一なサンプリングの場合、画素間隔をｒ／Ｎと定義してもよい。連続する１Ｄイメージングデータベクトルは、イメージングアセンブリが回転軸２を中心として動くことによって取得される（「シータ」（θ）によって測定される）。図２は、回転角度「シータ」（θ）を増加させながら連続して取得された１Ｄイメージングデータベクトル３の集合を表している。実施形態では、この構成を２次元画像５として取り扱い、「ｒ」軸２に沿う画素は、イメージングアセンブリからの距離が増加する方向のイメージングデータサンプルを表し、θ軸１１５に沿う画素は、イメージングアセンブリの回転軸を中心とする角度が大きくなる方向のイメージングデータサンプルを表す。
【００４１】
イメージングデータのこの連続的な集合及び構成により、幅が増加し続ける画素マトリクスが生成される。この表現は、最も古いサンプルベクトルが図２の左端に位置し、最も新しいサンプルベクトルが右端に追加され続ける時間的構成としても適切に記述することができる。なお、θ軸１１５（「シータ」）は、必ずしも時間と線形の関係を有する必要はなく、例えば、イメージングビームの傾斜角（図１では「ファイ」（φ）として表現される。）を変更することによって、回転速度が時間とともに変化してもよい。実際的な実施形態では、取得したサンプルの大きな２次元のアレイは、イメージングアセンブリの完全な回転に一致するイメージングフレーム４に分割してもよい（「シータ」（θ）は、０から２πラジアンの範囲をとる）。単一の２Ｄイメージングフレームにおいて、必ずしも、傾斜角「ファイ」（φ）を固定する必要はない。
【００４２】
図３は、図１において「ファイ」（φ）によって表されている傾斜自由度がなくなり、長手方向の自由度ｄが追加されたイメージングアセンブリ６の別の構成を示している。この場合も、イメージングデータは、イメージングアセンブリが軸７を中心に（「シータ」（θ）として表される角度で）回転しながら、及びアセンブリの全体が軸７に沿って（「ｄ」として表される対応する距離だけ）平行移動する間にベクトル「ｒ」に沿って収集され、この結果、円筒状の立体からのイメージングデータの集合が得られる。なお、軸７は、直線として示しているが、柔軟なイメージングカテーテルの場合、血管内イメージング及びプルバック撮像（pullback acquisition）において一般的なように、軸７は、曲線の経路であってもよい。
【００４３】
図４は、多くの実施形態の特徴である３個のイメージング軸の各々に沿ったデータ取得間の相対的な時間的関係を表している。放射軸「ｒ」に沿った取得が最も速く、次に長軸「シータ」（θ）を軸とする取得が続き、次に傾斜軸「ファイ」（φ）を軸とする取得が続き、これが、通常、最も遅い。
【００４４】
図５は、通常、長軸「ｄ」に沿ったデータの収集が最も遅い図３に表した構成に類似した時間的関係を表している。
【００４５】
イメージング角度「ファイ」（φ）を組み込むことによって、２Ｄ画像データのフレーム８を、イメージングアセンブリによって出射及び／又は受信されるエネルギビームの物理的な伝播経路を反映する３次元的手法で表示できる。図７Ｂは、幾つかの「ファイ」（φ）の固定角度を中心とする回転による伝播経路を示しており、図７Ｃは、傾斜角が滑らかに変化する場合の取得の間の伝播経路を示している。図６Ａは、角度「ファイ」（φ）を一定としたまま、可能な「シータ」（θ）の値の範囲をカバーするイメージングアセンブリの単一の回転によって取得される２Ｄ画像フレームを表している。図６Ｂは、取得した同じイメージングデータフレーム８を用いて、回転角度「シータ」（θ）及び固定された傾斜角「ファイ」（φ）の視覚的表示を提供する可能な実施形態を表している。この表現では、２Ｄイメージングデータフレームは、イメージングデバイスによる取得の間に立体内でサンプリングされた領域を表す（「ｒ」、「シータ」（θ）及び「ファイ」（φ）によって定義される）円錐形状のワイヤーフレームにマッピングされている。
【００４６】
米国特許第８，２１４，０１０号は、球面座標次元「ｒ」、「シータ」（θ）及び「ファイ」（φ）の範囲に亘る空間範囲で取得した画像データが３Ｄ立体表現に再構築される可能な実施形態を開示している。本発明の幾つかの実施形態は、２Ｄイメージングデータフレームのテクスチャマッピングを組み込んだイメージングデータの組の合成立体表現（composite volumetric representation）を生成することによって、３Ｄ再構築のためのこれらの視覚化の実施形態を拡張する。本発明の他の実施形態は、図３に示すイメージングアセンブリを用いて取得された画像データの組の３Ｄ再構築を表現する手段を組み込む。
【００４７】
図８Ａは、イメージングアセンブリ６を長軸７に沿って引きながら行われる画像データの取得を表している。トランスデューサの角度は、通常、長軸７に対して９０度に近い角度「ファイ」（φ）で固定される（但し、必要条件ではない）。このような軌跡に沿って取得されるデータの再構築された立体表現は、円筒状の立体内に収まる。この場合、データは、長軸７に沿う一定のインクリメントによって得られる。イメージングアセンブリ６が長軸７に沿って移動する間、一定の速度でイメージングデータを連続取得することによって、図８Ｂに示すような収集パターンが得られる。立体表現は、描画された取得軌跡毎に同様に生成することができる。
【００４８】
図７Ａは、２Ｄテクスチャマップ１１を組み込んだ（３Ｄ再構築の表現１２と単一の角度「ファイ」（φ）の組み合わせに対応する）第１の実施形態を示している。この例では、テクスチャマッピングされた円錐表面１１の外側にある３次元データを除外し、外表面上の２Ｄ画像データ１１が見えるようにしている。この除外領域は、選択された２Ｄイメージングフレームに関連する円錐角度より大きい円錐角度で表現される全ての画像データに基づいている。この円錐角度は、クリッピング角度と呼ぶことができる。円錐１３の底面をオペレータに向けることによって、円錐表面の内部の画像データの再構築された３Ｄ表現が見やすくなる。この場合、２Ｄテクスチャマッピングされた画像は、図７Ｂに示す走査パターンを用いて取得されている。図６Ｂに示す円錐の表面にマッピングされているイメージングデータフレーム表現１１は、３Ｄ円錐立体表現の表面に配置されており、２Ｄイメージングデータフレーム１１内に示されるイメージングされた解剖学的構造は、円錐立体表現１２内に示される対応する部分（counterparts）に揃えられる。
【００４９】
図７Ｄは、２Ｄテクスチャマップ１４を再構築された３Ｄ表現１５に組み込んだ同様の実施形態を表している。この例では、（選択された２Ｄイメージングフレームの角度より小さい「ファイ」（φ）の値に対応する）円錐の内部に位置する３次元データを除外している。これにより、（選択された２Ｄイメージングデータフレームの角度より大きい「ファイ」（φ）の値に対応する）円錐１５の表面の外側にあるイメージングデータの３Ｄ円錐立体表現が可視になっている。この除外は、選択された２Ｄテクスチャマップ１４に関連する円錐角度より小さい全ての円錐角度のデータに基づく。この円錐角度も、クリッピング角度と呼ぶことができる。円錐１６の底面をオペレータに向けることによって、オペレータは、円錐の内面にマッピングされた２Ｄイメージデータフレームを観察がすることができる。この場合も選択された２Ｄ画像フレーム表現１４は、３Ｄ円錐立体表現１５の内面に、両方の表現で表される解剖学的構造が整列するように適切に配置される。
【００５０】
上述した合成視覚化の実施形態では、一例として、イメージングデータの単一のフレームの識別情報を、円錐立体表現の可視部分及び不可視部分を分離する境界として用いている。可能な実施形態として、この境界フレームは、オペレータが選択してもよく、システム自体が選択してもよい。フレームを通して固定された角度「ファイ」（φ）を有さないフレームを含む、収集したイメージングデータの組内のイメージングデータの如何なる２Ｄフレームも、境界フレームとして用いることができる。
【００５１】
合成２Ｄ−３Ｄ表現内の視覚的連続性を実現するために、幾つかの実施形態は、２Ｄ及び／又は３Ｄ表現の構成要素の全部又は一部２９の透明度を変更する手段を含んでいてもよい。これは、描画された画像にアルファチャンネルを関連付けることによって達成でき、ここで、表現の全ての画素は、（画像データのサンプルに対応する）強度成分及びオペレータが定義可能な透明度成分の両方を含む。更に、図７Ａ及び図７Ｄについて上述した立体表現の除外された領域を表現するために透明度を使用してもよい。幾つかの実施形態では、システム又はオペレータによって透明度レベルを調整できるようにしてもよい。
【００５２】
合成視覚化における２Ｄ部分及び３Ｄ部分を視覚的に区別するために、可能な実施形態は、２Ｄ及び／又は３Ｄ表現の構成要素の全部又は一部に色相を関連付ける手段を備えていてもよい。代表的な画素に赤、緑及び青の色チャンネル値を割り当てることによって、画像データ視覚化表現に色相を追加することができる。適用される色相は、システム又はオペレータによって変更してもよく、適用される透明度キュー（transparency cue）に応じて変化させてもよい。
【００５３】
幾つかの実施形態では、透明度及び／又は色相の視覚的キューは、合成表現の２Ｄ及び／又は３Ｄ部分の全ての画素に一様に適用してもよく、他の実施形態では、このような視覚的キューを画素毎に適用してもよい。図９に示す例示的な実施形態では、透明度レベル（アルファチャンネル値）及び／又は色相（赤、緑及び／又は青のチャンネル値）が、画素の強度（画像データサンプル）の関数として、画素毎に決定される。この場合、明るい画素は、色相や透明度の違いによって暗い画素から区別される。オペレータは、画素強度値のための特定の閾値を選択して特定の色及び／又は透明度レベルを反映させてもよい。画素透明度を用いることによって、組織の描画された領域のうち、特定の画素強度値を下回る領域を隠しながら、その背後の組織の描画を明らかにすることができる。透明度値及び／又は色相の逆の適用によって、特定の領域を周囲の組織から分離することもできる。実施形態では、円錐立体表現及び／又はテクスチャマッピングされた円錐イメージングフレームの部分に画素毎に視覚的キューを適用することができる。
【００５４】
動的立体視覚化
米国特許第８，２１４，０１０号に開示されているイメージングシステムでは、その性質上、３次元画像データの取得の速度は、最も遅い取得軸によって制限されている。立体画像の時間分解能は、所与の空間範囲（取得軸の範囲）の組についての立体表現における画像データの更新の時間間隔によって定まる。一例として、図１は、イメージングアセンブリの「ｒ」、「シータ」（θ）及び「ファイ」（φ）の値をある範囲とした画像データの組の立体表現を示している。「ｒ」、「シータ」（θ）及び「ファイ」（φ）の範囲に亘って更新された画像データを取得し、更なる立体表現を表示するための処理を行うために必要な時間間隔によって立体画像の時間分解能が決まる。低分解能画像は、イメージングされた解剖学的組織内で高速に動く構造を表示するタスクには適さない。一組の値の取得のための時間分解能を高める一手法は、走査される領域の範囲を縮小することである。例えば、図１に示す座標系を用いるシステムにおいて走査角度「ファイ」（φ）の範囲を縮小することによって、連続的に取得される画像データの組の時間分解能を高めることができる。図３に示す座標系を用いるシステム内の走査位置「ｄ」の範囲を縮小しても同様の効果が得られる。上述の手法は、組み合わせてもよい。
【００５５】
画像データの再構築に関する時間分解能の効果の理解に基づき、オペレータが指定した関心領域（region of interest）の時間分解能が高い空間認識を提供する視覚化の実施形態が有利である。空間的分解能が高い３Ｄ画像表現を時間分解能が高い関心領域に組み合わせる能力によって、周囲の解剖学的組織のコンテキスト内で動きがある構造を正確に視覚化する手段が提供される。図１０Ａ〜図１０Ｆは、これを達成する実施形態を表している。図１０Ａは、比較的大きな立体領域、この場合、広範囲の傾斜角「ファイ」（φ）２２に亘って取得された一組のイメージングデータの立体表現を表している。図１０Ｄは、同じ立体表現の断面を表している。図１０Ｃは、より小さい領域の立体画像データから構築され、より高い頻度で更新される立体表現を表している。なお、角度「ファイ」（φ）２４の範囲は、全体の立体２２のために使用される範囲より小さい。図１０Ｆは、時間分解能が高い領域２７及び時間分解能が低い領域２８を有する合成表現の断面を表している。
【００５６】
合成される関心領域は、イメージングシステムが提供できる限界内であれば、如何なるサイズであってもよい。図１０Ｂ及び図１０Ｅは、関心領域が、図１に示す座標軸の組によれば、軸「シータ」（θ）を中心とするイメージングシステムの単一の回転によって得られるイメージングデータの単一フレームである実施形態を表している。
【００５７】
関心領域のサイズ及び位置は、イメージングシステムからの更新の間に不変である必要はない。図１０Ｂ及び図１０Ｅは、角度「ファイ」（φ）２３によって表される関心領域が全体の立体領域を定義する角度２２の範囲に亘って連続的に動き、新しい画像データフレームがイメージングデバイスから取得される都度、表現を連続的に更新する実施形態を示している。
【００５８】
米国特許第８，２１４，０１０号に開示されているイメージングシステムは、その性質上、イメージングデバイスの位置が必ずしもイメージングされた解剖学的組織に対して固定されておらず、イメージングデバイスの位置及び／又は向きが変化すると、時間分解能が高い画像データを含むユーザ又はシステムが定義した関心領域２５の合成視覚表示の忠実性に影響が生じることがあるため、この変化を判定できるようにすることが有益である。この領域内の画像は、時間分解能が低い周囲の領域２６より速やかにイメージングデバイスの動きを反映する。換言すれば、関心領域内に描画される画像は、周囲のコンテキスト表現内に描画されている画像に空間的に整列しなくなることがある。
【００５９】
更なる実施形態では、時間分解能が高い領域と低い領域との間の空間的不整列を検出する（図１１の３５に対応する）アルゴリズムを使用する。アルゴリズムは、以下のように定義される。まず、関心領域の境界に接触する表現部分に関連する画像データを、境界平面の両側を占める画素対毎に調査し、強度（画像データサンプル値）の相対的な差を算出する。このような境界平面にある画素対の差の合計は、両側の画像がどれほど同様に描画されているかを定量化するメトリックとなる。このメトリックがオペレータ又はシステムによって定義された閾値を超えると、空間的整列が連続的な表示に不適切であると判定される。このような場合、このシステムの実施形態では、コンテキストの立体表現の全体の新たな画像セットを再取得してもよい。
【００６０】
より包括的な空間的不整列検出アルゴリズムは、本明細書に開示する立体位置合わせ及び動き検出（Volume Registration and Motion Detection）による画像相互位置合わせの実施形態を組み込んでもよい。
【００６１】
図１１のフローチャートは、図１０Ａ〜図１０Ｆに示す合成視覚化を達成するための実施形態の一連の包括的なステップを示している。システムが画像データ３０を取得した後、走査視野２２に対応する最初の静的立体を生成し（３１）、この後、オペレータ又はシステムによって関心領域１８を定義し（３２）、イメージングシステムが限定された領域を走査しながら、繰り返し更新を行う。イメージングプローブ及び／又は周囲の解剖学的組織の動きのために、関心領域に対応するイメージングデータと初期の静的立体との空間的整列を評価する（３５）。空間的整列が適切であると判定された場合、コンテキストの立体視覚化表現によって関心領域の画像データ表現を構築する（３６）。空間的整列が不適切であると判定された場合、コンテキスト立体領域の全体の範囲を表現する画像セットを再取得し（３１）、処理を再開する。
【００６２】
発明の実施形態では、取得した画像データの連続する構築間で同じ関心領域を維持する必要はない。システムは、関心領域を更新してもよく（３７）、ユーザが定義した領域を維持してもよい（３８）。
【００６３】
更なる実施形態では、イメージングデータのゲーティングされた取得（gated acquisition）によって、イメージングされる関心領域内の解剖学的運動の影響を緩和する。このような実施形態では、ＥＣＧ信号を用いて画像データの取得を心周期と同期させてもよい。このような手法によって画像を取得することによって、心周期の単一の位相において、心臓の立体表現を生成することができる。これに代えて、幾つかの心周期に亘ってイメージングデータを収集し、４次元再構築（時間とともに変化する複数の３Ｄ立体表現）を実現してもよい。幾つかの実施形態では、合成視覚表示の幾つか又は全ての部分に、ゲーティングされた取得によって得られたイメージングデータを組み込んでもよい。
【００６４】
コンテキストである周辺環境に描画される画像から関心領域内に描画される画像を区別する視覚的キュー（visual cues）を組み込んだ更なる実施形態を提供してもよい。このような視覚的キューは、視覚化された画像データへの透明度及び／又は色の適用を含むことができる。このような視覚的キューを適用する方法は、先の実施形態で説明した方法と同様であり、この視覚的キューの適用は、システム又はユーザによって制御することができる。この拡張として、他の可能な実施形態では、特定の視覚的キューは、視覚化された画像をイメージングデバイスが取得してから経過した時間を反映するようにしてもよい。例えば、合成視覚化のコンテキスト立体部分に描画される画像を構成する画素の透明度（アルファ値）は、取得から経過した時間の関数として算出される。この視覚化の部分が新しいデータによって更新されないと、時間の経過と共に、この表現を構成する画素の透明度が次第に高くなる。最終的に、これらの画素は、完全に消えてしまってもよい。表現の透明な領域に対応する新しい画像データの取得によって、これらの領域の画像データが再び不透明となる。
【００６５】
この実施形態においては、視覚的キューが合成視覚化表現の異なる部分間の時間分解能の差を表すため、視覚的キューの適用が重要である。時間分解能が高い領域は、動きやすい解剖学的領域をより正確に反映する。逆に、時間分解能が低い領域は、取得から経過した時間が増す程、信頼度が低下する。
【００６６】
立体相互位置合わせ及び動き検出
イメージングプローブの動きは、静的部分立体再構築と、イメージングデバイスの動的な性質との間の一貫性に影響を及ぼす。一貫性を高めるための１つの方法は、現在のイメージング情報と、静的履歴立体（static historical volume）との間の位置合わせを行うことである。一実施形態（図１２Ａ）では、カテーテル先端４１は、心室内に位置する。まず、内部空間の「高密度」走査４０を実行することによって、空間的分解能が高い領域を取得する（４５）。所与の角度の「シータ」（θ）及び「ファイ」（φ）について、（図１に示す）ｒに沿って取得される画像データのライン毎に、（原点から開始して）心臓組織を表す最初の点を走査する。このような点は、血液に特徴的な信号強度から心臓組織に特徴的な信号強度への信号強度の増加によって測定できる。ｒ−ベクトル毎に収集される（ｒ（ｉ），「シータ」（θ），「ファイ」（φ）、「ｉ」は、心臓組織の最初の出現を表す。）によって表現される全ての点の集合は、心室３９の内表面を画定する。この点の集合は、高密度立体走査の属性として保存してもよい。通常、この高密度走査を実行するためには、長い時間が必要である。
【００６７】
この後のある時点において、カテーテル先端の相対的な位置を判定するために、高密度走査によるデータ取得の間、以下のステップを実行してもよい（図１３）。「シータ」（θ）及び／又は「ファイ」（φ）に亘るサンプル４２の数を減らすことによって取得ｒ−ベクトル数を減らして、ｒ、「シータ」（θ）及び「ファイ」（φ）の同様の範囲に亘って、更なる立体走査を実行する（４６）（図１２Ｂ）。先と同様の手法によって心室３９の内部の他のマップを構築する。この走査の実行に必要な時間は、「シータ」（θ）及び／又は「ファイ」（φ）の角度の範囲を速やかに横断できるため、短縮されている。更に、この第２のマップを算出する時間は、立体の空間分解能が低いため、より短い。
【００６８】
高密度走査及び低密度走査の両方で心室３９の内表面を定義するデータを取得した後の課題は、２つの表面を相互位置合わせする（４７）ことである。一実施形態では、各表面は点の集合によって表現される。元の一方のデータの組に対する他方のデータの組の（位置及び向きの）変化が積によって表される線形最小二乗ベストフィット法（linear-least-squares best-fit approach）を用いて、２組のデータ間の最良の相関位置を判定することができる。これによって、１つの立体走査４１から他の立体走査４３までのカテーテル先端の位置の変化が定義される。
【００６９】
ここで、相互位置合わせによる整合の品質（quality of fit）を検討することが重要である。先の例では、線形最小二乗法アルゴリズムに基づき、２組のデータ間の対応する点の対の間の総合的誤差の二乗平均平方根（root-mean-square：ＲＭＳ）の合計を求めることができる。このＲＭＳ誤差は、２つの立体の位置合わせが妥当であるか、並びに更新された位置及び向きが信頼できるかを判定するメトリックとして使用することができる。位置合わせが妥当ではないとみなされると、システムは、相対的な位置情報が信頼できなくなり、新たな高密度走査を実行する必要があると判定することができる（５０、４５）。
【００７０】
上述の例を改善した実施形態では、連続するｒ−ベクトルを用いて、ｒ次元に沿った心臓組織への遷移を検出する。遷移は、点ではなく、辺に沿って定義してもよい。この場合、心室の表面の輪郭は、点ではなく辺の集合として表現できる。そして、変更された相互位置合わせアルゴリズムを用いて、取得した立体間の変化を判定し、整合の品質を示す許容基準を生成することができる。
【００７１】
上述の実施形態を変更して、検出された辺−空間的強度（edge-space like strength）（画像強度変化の鋭さ）又は法線（取得原点に対する辺の方向）等の追加的な特性を組み込んでもよい。この更なる情報は、２つの画像立体の間の相関関係を判定するために用いられるアルゴリズムに組み込むことができる（４７で実行される）。
【００７２】
複数の相互位置合わせアルゴリズムに基づく複数の輪郭検出方法を組み込んだ実施形態も想到される。各方法は、相互位置合わせ精度メトリックに加えて相互位置合わせ変化情報を生成する。各アルゴリズムからの位置合わせの変化を、それぞれの品質メトリックによって重み付けして平均することによって、カテーテル先端位置の推定がより確実になる。
【００７３】
可能な実施形態は、必ずしも、低密度立体データの組の取得に使用されるパラメータに限定されない。全ての範囲を再走査するのではなく、（図１２Ｃに示すように）「シータ」（θ）及び／又は「ファイ」（φ）の更に狭い範囲４４を走査し、これによって、位置合わせを目的とする走査に必要な時間を短縮してもよい。心室の内面を特定し、「シータ」（θ）及び／又は「ファイ」（φ）の範囲を狭くして２回目の取得を行った場合も、この表面を他の取得データと位置合わせする上述の手法を適用することができる。最終的に、この実施形態では、下位立体（sub-volume）が「シータ」（θ）軸を中心とする単一の回転に縮小され、これは、傾斜角「ファイ」（φ）が一定の場合、単一の円錐画像フレームを表現する。ここでも、上述した位置合わせの手法は、単一のイメージングフレームを想定した場合、有効であるが、より小さなデータの組がより大きいコンテキスト立体に良好に位置合わせされる可能性は低下すると予想される。
【００７４】
位置合わせの目的で走査領域を制限することは、単に取得時間を短縮すること以上の利益を生じることがある。例えば、医師は、何らかの治療を施すことによって、走査視野内の組織の外観を物理的に変更することがある。コンテキスト立体がこの処置の前に取得されている場合、相互位置合わせのための後の取得データは、元の組織の特徴を反映していない。これらのケースでは、変更された組織領域を相互位置合に使用されるイメージングデータのセットから除外すれば、位置合わせの精度が向上する。例えば、オペレータは、３Ｄ関心領域選択を用いることにより、変更された１又は複数の領域を手動で定義することができ、システムは、次の相互位置合わせの演算を行う際にこれらの領域を無視することができる。
【００７５】
ここに提案する位置合わせの実施形態の更なる変形例では、既知の情報であるカテーテルの現在位置及びその特徴的自由度５４に基づいて、一組の「予測される」カテーテル位置を定義する情報５１を組み込む。この更なる情報を用いて、算出された位置合わせ変化を検討の際に除外し（５７）、及び／又は幾つかの位置合わせ法の出力の一部としてこれらを検討する際にこれらの重みを低減する（５８）ことができる。図１４のフローチャートでは、このタイプの情報を用いて候補カテーテル位置／向きの集合５６をフィルタリングするアルゴリズムを詳しく示している。
【００７６】
最後に、図１４に示す方法の拡張として、ある実施形態では、イメージングデバイスの予想される軌跡を更に特徴付ける情報を組み込む（６０）。この情報は、実行中の処置に関する知識を有するオペレータが入力する（６１）。一例として、ある実施形態では、オペレータは、誘導された穿刺又は注射を行うことを望む。オペレータは、イメージングシステムのユーザインタフェースを介してイメージングデバイスの意図された位置及び向きを指示することができ、この時点で、システムは適切な軌跡を判定する。オペレータは、それぞれが期待される位置及び向きを判定するための手段を有する予めプログラムされた操作の組から任意の操作を選択してもよい。
【００７７】
上述したように、３次元立体再構築の精度は、心臓の動きによって影響を受け、心周期の部分に合わせてイメージングデータの取得をゲーティングすることによって、この精度を向上させることができる。同様に、相互位置合わせ精度も心臓の動きによって影響を受けるので、相互位置合わせされる画像データの組のためにゲーティングされた取得技術を使用することによって、相互位置合わせの誤差を低減することができる。包括的に言えば、時間分解能が低いイメージングシーケンスは、動きの影響を受け、当分野で周知のゲーティングアルゴリズム、例えば、ＥＣＧゲーティング、呼吸運動に基づくゲーティング等を用いることが有益である。
【００７８】
ある実施形態では、曖昧さを解決するための複雑性を欠いた血管等の他の解剖学的組織における位置合わせの試みを特定してもよい。これは、高解像度静的立体の解析によって、組織が位置合わせを可能にするために十分な複雑さを有しているかを判定することによって行ってもよい。立体の複雑さは、内面の滑らかさ、画素辺強度の分布、及び法線ベクトル（edge normal）によって定量化することができる。
【００７９】
４次元再構築における下位立体識別
３次元画像内で心臓の別個の解剖学的構造（例えば、心房間中隔）を強調し又は隠す能力及び４Ｄ視覚化の後のフレーム内で同じ構造を手動で特定する必要をなくすことは、医師にとって有用である。これを実現するために、本発明が提供するシステムは、１つの再構築において、３次元下位立体表現の範囲が提供されると、以後の再構築において、同じ解剖学的部分に対応する下位立体表現を自動的に特定する能力を有する。この能力を使用する実施形態は、関心構造のサイズ、位置及び向きの僅かな変化も考慮する必要がある。これらの変化は、イメージングカテーテルの動き及び／又はイメージングされる心臓構造自体の動きの結果であることもある。
【００８０】
例として、図１５は、他の実施形態を示している。オペレータは、手動で（例えば、３Ｄ関心領域選択）又は自動セグメント化アルゴリズムによって補助された選択によって、再構築（６４）されたデータの組内で独立した立体領域を特定する（６５）。
【００８１】
この実施形態では、自動セグメント化のサブステップのために、３Ｄ画素マトリクスに対し、ユーザ又はシステムが定義する許容度を採用した再帰的シードフィルアルゴリズムを使用することを提案する。まず、オペレータによって選択された３Ｄ画像画素（ボクセル）をシードとして定義する。このボクセルは、立体表現内の関心領域の描画された境界の内側に位置すると仮定する。アルゴリズムは、シードに接続（隣接）する全てのボクセルを検査し、（定義された許容度以内で）これらのボクセルの強度がシードの強度と同じである場合、これらのボクセルに「色付け」を行う。再帰的手法により、アルゴリズムは、色付けされた各ボクセルの近隣を調べ、（再び定義された許容度以内で）近隣のボクセルの強度がシードの強度に一致する場合、これらのボクセルを色付けする。色付けされた領域は、色付けされる新しいボクセルがなくなるまで成長する。色付けされたボクセル領域の最小の輪郭は、システムが補助する選択を表す。選択を実行する前に許容度を調整することによって、色付けされるボクセルの数、したがって、選択の範囲に影響が生じる。また、選択されるシードボクセルの強度が選択に含まれるボクセルに影響を与えることは明らかである。
【００８２】
特定される下位立体は、少なくとも概算的に、ボクセル強度が異なる別の領域によって特徴付けられる輪郭を有する。システムは、幾何学的中心、質量中心、向き（主要素軸）、重み付けされた向き（重み付けされた主要素軸）、体積（ボクセル数）及び／又は特定された主軸に沿って特定される寸法を判定し処理することによって、下位立体を特徴付ける（６６）。システムは、構成下位立体ボクセル(constituent sub-volume voxels)に色相又は透明度の視覚的キューを適用することによって領域を強調又は隠す（６７）。
【００８３】
視覚的キューは、本発明の先の実施形態と同じ手法によって、立体表現の特定された領域に適用することができる。同じタイプの視覚的キュー、すなわち、色及び／又は透明度は、立体関心領域を隠し又は強調する場合に適用してもよい。また、逆の領域（関心領域に含まれない立体領域）で同様のキューを使用することもできる。立体表現の一部に視覚的キューを適用する他の全てのケースと同様に、視覚的キューの適用は、オペレータ又はシステムによって制御される。最後に、ある実施形態では、更なる視覚的キューを使用して、関心領域が常にオペレータに可視となり、視覚化された表現の他の部分又はユーザインタフェースディスプレイの他のユーザ要素によって隠されることがないように関心領域をユーザインタフェース内に配置することができる。この実施形態の特徴をセンタリングビュー（centering view）と呼ぶ。
【００８４】
そして、より最近に取得した画像データ７２から、次の立体走査によりデータを収集する（６８）。次に、以前に特徴付けた立体に一致する下位立体の検索を、中心（質量中心又は幾何学的中心）位置から開始する（６９）。中心点を包含する立体領域を特定する際には、再び自動セグメント化を用いる。演算負荷を制限するために、システムは、下位立体の向きの小さな変化を考慮して、先に特徴付けた立体と略々同じ寸法に検索を限定してもよい。ターゲット領域の識別の成功は、識別された下位立体が関心領域の特徴（位置、向き、立体、寸法）にどれほど一致するかに依存する。ターゲット領域の再特徴付けに成功した場合、この情報は、次の画像立体表現７１の検索のための入力として使用してもよい。
【００８５】
更なる実施形態は、最新の検索の結果７１によって又は以前の検索の組からの各特徴の何らかの加重平均によって先に識別した下位立体特徴を再定義するオプションを含んでいてもよい。検索が成功すると、描画される視覚表示に同様の隠しキュー又は強調キューが適用される（６７）。ターゲット領域が識別されなかった後の画像セット取得に対応する表現では、視覚的キューは、適用されない。幾つかの（ゼロの場合もある）連続して取得した画像セット（又は先に取得した画像セットの最小限の一部）において関心領域を特定することに失敗した場合、システムは、オペレータが関心領域を再選択するまで（６５）、その後の検索を中断する。
【００８６】
上述した実施形態は、例示的なものであり、包括的メカニズムを図１５に示す通りに限定する意図はない。サブ領域特徴付けの精度を高めるために、より複雑な組織セグメント化アルゴリズム及び／又は既知の形態の心臓構造に特化された検索を含ませてもよい。可能な実施形態は、低密度から高密度の立体相互位置合わせ、動的立体視覚化及びクリッピングされた立体合成表示へのテクスチャマッピングを含む本発明の他の側面を組み込んでもよく、多くの場合、これらの側面が組み込まれる。
【００８７】
図１７は、ここに開示する方法及びシステムを実現するコンピュータ制御システム４２５の例示的で非限定的な具体例を示しており、コンピュータ制御システム４２５は、１個以上のプロセッサ４３０（例えば、ＣＰＵ／マイクロプロセッサ）と、バス４０２と、ランダムアクセスメモリ（random access memory：ＲＡＭ）及び／又は読出専用メモリ（read only memory：ＲＯＭ）を含むメモリ４３５と、１個以上の内部の記憶デバイス４４０（例えば、ハードディスクデバイス、コンパクトディスクドライブ又は内部フラッシュメモリ）と、電源４４５と、１つ以上の通信インタフェース４５０と、例えば、臨床医が様々な情報を入力でき、シミュレーションの実行等を行うことができるユーザインタフェース等の様々な入出力デバイス及び／又はインタフェース４６０とを備える。
【００８８】
図１７では、単一の各構成要素を示しているが、コンピュータ制御システム４２５には、各構成要素を幾つ含ませてもよい。例えば、コンピュータは、通常、複数の異なるデータストレージ媒体を備えている。また、バス４０２は、全ての構成要素の間の単一の接続として示しているが、バス４０２は、２つ以上の構成要素をリンクする１つ以上の回路、デバイス又は通信チャンネルであってもよいことは当然である。例えば、多くのパーソナルコンピュータでは、バス４０２は、マザーボードであり、又はマザーボードを含む。
【００８９】
一実施形態においては、コンピュータ制御システム４２５は、汎用コンピュータ又は空間内で動作するように構成された他のハードウェア均等物であってもよく、これを含んでいてもよい。コンピュータ制御システム４２５は、１つ以上の通信チャンネル又はインタフェースを介してプロセッサ４３０に接続された１つ以上の物理的デバイスとして実現してもよい。例えば、コンピュータ制御システム４２５は特定用途向け集積回路（application specific integrated circuit：ＡＳＩＣ）を用いて実現してもよい。これに代えて、コンピュータ制御システム４２５は、ハードウェアとソフトの組合せとして実現してもよく、この場合、ソフトウェアは、メモリ又はネットワーク接続を介してプロセッサにロードされる。
【００９０】
コンピュータ可読ストレージ媒体としては、以下に限定されるものではないが、書込可能及び読出専用の媒体、例えば、揮発性及び不揮発性メモリデバイス、読出専用メモリ（ＲＯＭ）、ランダムアクセスメモリ（ＲＡＭ）、フラッシュメモリデバイス、フロッピー(登録商標)及び他のリムーバブルディスク、磁気ディスク記憶媒体、光記憶媒体（例えば、コンパクトディスク（ＣＤ）、デジタル多用途ディスク（ＤＶＤ））等が含まれる。命令は、デジタル及びアナログ通信リンクを介して、電気、光、音響又は他の形式の伝播信号、例えば、搬送波、赤外線信号、デジタル信号等として供給できる。ストレージ媒体は、インターネットクラウドであってもよく、ディスク等のコンピュータ可読ストレージ媒体であってもよい。
【００９１】
コンピュータ可読ストレージ媒体としては、以下に限定されるものではないが、書込可能及び読出専用の媒体、例えば、揮発性及び不揮発性メモリデバイス、読出専用メモリ（ＲＯＭ）、ランダムアクセスメモリ（ＲＡＭ）、フラッシュメモリデバイス、フロッピー(登録商標)及び他のリムーバブルディスク、磁気ディスク記憶媒体、光記憶媒体（例えば、コンパクトディスク（ＣＤ）、デジタル多用途ディスク（ＤＶＤ））等が含まれる。命令は、デジタル及びアナログ通信リンクを介して、電気、光、音響又は他の形式の伝播信号、例えば、搬送波、赤外線信号、デジタル信号等として供給できる。
【００９２】
上述の特定の実施形態は、例示的なものであり、これらの実施形態を様々に修正及び変形できることは明らかである。更に、特許請求の範囲は、ここに開示した特定の形式に限定されず、ここに開示した思想及び範囲に含まれる全ての修正、均等物及び変形を包含することは明らかである。
【図１】
2019048046.tif 000003
【図２】
2019048046.tif 000004
【図３】
2019048046.tif 000005
【図４】
2019048046.tif 000006
【図５】
2019048046.tif 000007
【図６Ａ】
2019048046.tif 000008
【図６Ｂ】
2019048046.tif 000009
【図７Ａ】
2019048046.tif 000010
【図７Ｂ】
2019048046.tif 000011
【図７Ｃ】
2019048046.tif 000012
【図７Ｄ】
2019048046.tif 000013
【図８Ａ】
2019048046.tif 000014
【図８Ｂ】
2019048046.tif 000015
【図８Ｃ】
2019048046.tif 000016
【図９】
2019048046.tif 000017
【図１０Ａ】
2019048046.tif 000018
【図１０Ｂ】
2019048046.tif 000019
【図１０Ｃ】
2019048046.tif 000020
【図１０Ｄ】
2019048046.tif 000021
【図１０Ｅ】
2019048046.tif 000022
【図１０Ｆ】
2019048046.tif 000023
【図１１】
2019048046.tif 000024
【図１２Ａ】
2019048046.tif 000025
【図１２Ｂ】
2019048046.tif 000026
【図１２Ｃ】
2019048046.tif 000027
【図１３】
2019048046.tif 000028
【図１４】
2019048046.tif 000029
【図１５】
2019048046.tif 000030
【図１６】
2019048046.tif 000031
【図１７】
2019048046.tif 000032
【手続補正書】
【提出日】平成30年9月26日(2018.9.26)
【手続補正１】
【補正対象書類名】特許請求の範囲
【補正対象項目名】全文
【補正方法】変更
【補正の内容】
【特許請求の範囲】
【請求項１】
立体の立体表現のイメージングデータの組及び単一の２Ｄイメージングフレームから前記立体の合成視覚表示を生成する方法において、
ａ）前記立体から一組のイメージングデータを受け取るステップと、
ｂ）前記イメージングデータの組から単一の２Ｄイメージングフレームを選択するステップと、
ｃ）前記イメージングデータの組を処理して、前記単一の２Ｄイメージングフレームの選択された側にある全ての画像データが前記立体表現から除外されるように変更された立体表現を生成するステップと、
ｄ）前記２Ｄイメージングフレームを前記変更された立体表現上の適切な箇所にマッピングするステップとを有する方法。
【手続補正書】
【提出日】平成30年10月22日(2018.10.22)
【手続補正１】
【補正対象書類名】特許請求の範囲
【補正対象項目名】全文
【補正方法】変更
【補正の内容】
【特許請求の範囲】
【請求項１】
システムによって、イメージングプローブの動作を制御し、３Ｄイメージングを実行し、合成３Ｄ表示を生成する方法であって、
前記イメージングプローブは、回転可能なアセンブリを含み、
前記システムは、イメージングプローブの動作を制御し、３Ｄイメージングを実行し、合成３Ｄ表示を生成し、
前記方法は、
立体内部でイメージングビームを走査するために、前記イメージングビームが回転軸を中心に回転するように前記イメージングアセンブリを回転させ、前記イメージングビームの回転角度を前記回転軸と垂直な平面において変化させることと、前記回転軸に対する前記イメージングビームの傾斜角を変化させるように前記イメージングアセンブリを駆動することとを含む走査動作を前記イメージングプローブが実行するように構成された制御信号を前記イメージングプローブに送信することと、
前記走査動作を実行するように前記イメージングプローブを制御しながら、それぞれが異なる傾斜角あるいは異なる傾斜角範囲と関連した複数の２次元イメージングフレームを収集することと、
テクスチャマッピングを実行するために、前記複数の２次元イメージングフレームから１つの２次元イメージングフレームを選択することと、
前記立体イメージデータが前記選択された２次元イメージングフレームの選択された側が除外されるように、前記２次元イメージングフレームを処理して３Ｄイメージングデータの組を生成することと、
前記選択された２次元イメージングフレームからの画像データを前記３Ｄイメージングデータの組にテクスチャマッピングして、前記３Ｄイメージングデータの組と前記選択された２次元イメージングフレームとを含むテクスチャマッピングされた３Ｄイメージを生成することと、
を含む、方法。
【請求項２】
請求項１において、
前記走査動作が複数の異なる傾斜角で前記回転軸を中心に前記イメージングビームを回転させることを含むように、前記制御信号は前記イメージングプローブに供給され、
前記複数の２次元イメージングフレームは、複数の円錐状のイメージングフレームを含み、それぞれの円錐状のイメージングフレームは、異なる傾斜角に対応し、
前記選択された２次元イメージングフレームは、選択された円錐状のイメージングフレームである、方法。
【請求項３】
請求項２において、
前記選択された側は、前記選択された円錐状のイメージングフレームの内側である、方法。
【請求項４】
請求項１において、
前記走査動作が前記傾斜角を連続的に変化させながら前記回転軸を中心に前記イメージングビームを回転させることを含むように、前記制御信号は前記イメージングプローブに供給され、
前記複数の２次元イメージングフレームは、異なる範囲の前記傾斜角に亘って収集されたイメージデータを含む、方法。
【請求項５】
請求項１から４の何れか１項において、
前記テクスチャマッピングされた３Ｄイメージは、前記選択された２次元イメージフレームに関連づけられた前記イメージデータが選択された色相で表示されるように生成される、方法。
【請求項６】
請求項１から４の何れか１項において、
前記テクスチャマッピングされた３Ｄイメージは、前記３Ｄイメージングデータの組に関連づけられた前記イメージデータが選択された色相で表示されるように生成される、方法。
【請求項７】
請求項１から４の何れか１項において、
前記テクスチャマッピングされた３Ｄイメージは、前記選択された２次元イメージフレームに関連づけられた前記イメージデータが選択された透明度で表示されるように生成される、方法。
【請求項８】
請求項１から４の何れか１項において、
前記テクスチャマッピングされた３Ｄイメージは、前記３Ｄイメージングデータの組に関連づけられた前記イメージデータが選択された透明度で表示されるように生成される、方法。
【請求項９】
請求項１から８の何れか１項において、
前記選択された２次元イメージフレームは、オペレータによって定義される、方法。
【請求項１０】
請求項１から８の何れか１項において、
前記選択された２次元フレームは、前記イメージングプローブに関連づけられたイメージングシステムによって定義される、方法。
【請求項１１】
請求項１から１０の何れか１項において、
前記イメージングプローブのイメージングの様式は、超音波である、方法。
【請求項１２】
請求項１から１０の何れか１項において、
前記イメージングプローブのイメージングの様式は、光干渉断層法である、方法。
【請求項１３】
請求項１から１２の何れか１項において、
前記複数の２次元イメージフレームは、ゲーティング技術によって取得される、方法。
【請求項１４】
回転軸を中心に回転可能で前記回転軸に対して角度調整可能なイメージングアセンブリを含むイメージングプローブから収集されたイメージデータから合成立体表示を生成する方法であって、
前記イメージングアセンブリが前記回転軸を中心に回転する間に、それぞれが異なる傾斜角あるいは異なる傾斜角の範囲と関連する複数の２次元イメージフレームを収集することと、
テクスチャマッピングを実行するために前記複数の２次元イメージフレームから１つの２次元イメージフレームを選択することと、
立体イメージデータが前記選択された２次元イメージングフレームの選択された側が除外されるように、前記２次元イメージングフレームを処理して３Ｄイメージングデータの組を生成することと、
前記選択された２次元イメージングフレームからの画像データを前記３Ｄイメージングデータの組にテクスチャマッピングして、前記３Ｄイメージングデータの組と前記選択された２次元イメージングフレームとを含むテクスチャマッピングされた３Ｄイメージを生成することと、
を含む方法。
【請求項１５】
３Ｄイメージングを実行し、合成立体表示を生成するイメージングシステムであって、
回転可能なイメージングアセンブリを含むイメージングプローブと、
前記イメージングプローブに動作可能に接続され、プロセッサとメモリを備えた処理制御回路と、を備え、
前記プロセッサは、
イメージングビームが回転軸を中心に回転するように前記イメージングアセンブリを回転させ、前記イメージングビームの回転角度を前記回転軸と垂直な平面において変化させることと、前記回転軸に対する前記イメージングビームの傾斜角を変化させるように前記イメージングアセンブリを制御することと、を含む走査動作を実行することにより、立体内部で前記イメージングビームを走査するように前記イメージングプローブを制御することと、
前記走査動作を実行しながら、それぞれが異なる傾斜角あるいは異なる傾斜角範囲と関連した複数の２次元イメージングフレームを収集することと、
テクスチャマッピングをするために、前記複数の２次元イメージングフレームから１つの２次元イメージングフレームを選択することと、
前記立体イメージデータが前記選択された２次元イメージングフレームの選択された側が除外されるように、前記２次元イメージングフレームを処理して３Ｄイメージングデータの組を生成することと、
前記選択された２次元イメージングフレームからの画像データを前記３Ｄイメージングデータの組にテクスチャマッピングして、前記３Ｄイメージングデータの組と前記選択された２次元イメージングフレームとを含むテクスチャマッピングされた３Ｄイメージを生成することと、
を含むステップを処理するために、前記メモリに格納された命令を実行するように構成されている、イメージングシステム。